(57)【要約】【課題】返答を要するメッセージであることを相手に伝え、その質問や提案、申し入れ等に対する回答が返ってくるまでをまかなうことを目的とした双方向型メッセージカードを提供する。【解決手段】あらかじめカードには「はい」、「いいえ」や択一で答えられる程度を前提とした質問や提案、申し入れ等がメッセージ部分aに、受け手の意志や判断に相当する複数の選択肢が各アンサー部分b、cに記載されており、ミシン目によって一体となっているカードのいずれかのアンサー部分を切り離して、送り手に返すことで返答とすることを特徴とする。【選択図】      図１
2008168445.tif 000002
【特許請求の範囲】
【請求項１】
事の是非や賛否を問うたり、意思の確認、もしくは承諾や許可を請う内容の質問や提案、申し入れ等のメッセージが記された部分とメッセージに対して受け取った側の意思や判断に相当する複数の選択肢があらかじめアンサーとして記された部分が一体となっていることを特徴とするカード。
【請求項２】
前記メッセージ部分と各アンサー部分が折り曲げ、切り離し可能なミシン目で繋がっていることを特徴とする請求項１記載のカード。
【請求項３】
受け取った側がメッセージを確認し、自己の意思を表明するに妥当な前記アンサー部分を切り離して、回答を選択した状態となったカード片を送った側に返却することで返答とすることを特徴とする請求項２記載のカード。
【発明の詳細な説明】
【技術分野】
【０００１】
本発明はプレゼント等に添えたり、挨拶状、用件メモとして簡易なメッセージを伝えるカードに関する。
【背景技術】
【０００２】
メッセージカードは、まず送り手に祝福の意思や伝えたい心情、用件等があって、それらに対応した「おめでとう」や「ありがとう」といった文章と図柄が印刷されたいくつかの中からもっとも相応しいとする一枚が購入される。それから手渡し、郵送、ギフト等に添えるなどの手段を経て受け手の元へ渡る。受け手はメッセージを読み、書かれてある内容の意思を送り手が有していることを認識するまでをその役割とするのが一般的である。
【発明の開示】
【発明が解決しようとする課題】
【０００３】
しかしながら、従来のメッセージカードでは雰囲気やデザインを重視するあまり、お礼の言葉や祝辞、謝辞などが形式的に並ぶにとどまり、感情の交流、意思の疎通、問題の解消に至るコミュニケーションの段階にまで踏み込んでいないのが実情である。感情や意思、懸案には発信者から受信者への一方通行では成り立たないものも多く、「許してほしい」とか「パーティーに招待したい」などといったメッセージは返答を期待しての問いかけである。
【０００４】
通常、発信者の意図を補うには、カードの余白部分に手書きの文章を添えるなどの試みがなされる。しかし、メモ用紙や手紙という他の手段を含めて、受信者に渡ってしまえば、そのメッセージが意思表示を目的としたものなのか、答えを欲しているものなのか推測するところから始まり、期限、返答方法などの実務的な問題、否定的な結論を示さねばならない場合は、失礼のない言い回し、理由の正当性などの精神的ケアに至るまで、係る一切の判断を受信者が負うことになる。これらを解消に導く詳細を同一文書内で補足することは余白の問題もあり、長い注釈付きではせっかくの計らいや美しい言葉も興醒めというものである。このような本来の目的から外れたところでの気遣いや形式の煩わしさでコミュニケーション手段のひとつが消極化しているのは公社会の損失と言える。
【０００５】
本発明は、このような点に鑑みて成されたものであり、その目的は発信者が返答を欲している内容であることを明示し、受信者にとって判断に関わる負担を軽減することで両者に瞭然とした決着をもたらすコミュニケーション用カードを提供することにある。
【課題を解決するための手段】
【０００６】
以上の課題を解決するために、本発明はあらかじめ記載された「はい」、「いいえ」や択一で答えられる程度を前提とした質問や提案、申し入れ等と受信者の意志や判断に相当する複数の選択肢がそれぞれメッセージ部分、アンサー部分として一体化していることを特徴とするカードである。メッセージ部分とアンサー部分のひとつひとつは切り離し可能なミシン目で繋がっており、受信者はメッセージに対し自己の意思を表明するに妥当なアンサー部分を切り離して、回答状態となったカード片を発信者に返すことで返答とする。
【発明の効果】
【０００７】
受信者はメッセージ部分と各アンサー部分の境界に設けたミシン目の機構的特徴により直感的に回答方法を理解できる。また、発信者自らが否定的回答を用意して受信者の自由意志を尊重する旨を示すことで、受信者は発信者が期待している選択への重圧から解放され、回答に応じる精神的余裕が生まれる。結果的に発信者は受信者に煩わしさを押し付けることなく、高い確実性をもって返答を得ることができる。
【０００８】
しかし、より本質的な効果は、答えてもらえるから言える、断ってもかまわないから答えられるといった相互の安心感が煩わしさや失望に対する抵抗を緩和することによって、始める前から閉ざしてしまっているコミュニケーションへの意識を積極的な方向へと導くところにある。本発明はコミュニケーションが活発化された社会によって、多くの人々に明るく快適な生活をもたらす助力とならんことを期待するものである。
【発明を実施するための最良の形態】
【０００９】
以下、図面に基づいて実施形態を説明する。図１、図２、図３は同一のカード１をそれぞれ表平面、裏面、折りたたんだ状態を斜め方向からとらえた図である。カード１には往信文を記したメッセージ部分aと対応する回答の選択肢を記したアンサー部分b、cが設けられている。各部分a、b、cの境界には折り曲げ、切り離しを可能とするミシン目が設けられている。
【００１０】
なお、カード１のメッセージ部分には招待文が記されているが、従来のメッセージカードと同様、余白に名前や日時、場所等を手書き可能である。この形態によれば、受信者の手元に残ったカード片は日時や場所、出席欠席のいずれと返答したかを記録したメモ代わりとなり、発信者に戻った回答状態のカード片は取っておいて、後に出欠を確認することもできる。
【００１１】
図４は座席が埋まっている電車内にお年寄りが乗り合わせてきた場面に、発信者が座っている立場で遭遇した状況を想定したカード２の表平面図である。メッセージ部分には席を譲りたい主旨が記してあり、アンサー部分ｂ、ｃは申し出を受けるか、断るかの選択肢が用意されている。
【００１２】
日常において、相手と直に対面している状況でさえ、言葉を発する行為や筆話に費やす時間、道具などの条件面が弊害となって、コミュニケーションの機会そのものが失われてしまう事例は多い。上記においても、席を譲る意思はあるのだが、声に出して表現することで自分の行いを周囲に誇示しているように映ることを気にして口をつぐんでしまう人物の積極的意識を喚起することを目的としたものである。
【００１３】
この形態によれば、騒音に妨げられることも周囲に内容を悟られることもなく、発信者と受信者だけでやりとりを行うことができる。
【００１４】
カード１とカード２の例のように本発明は状況、文章表現、使い方によって、もたらされる効果が一定のかたちを留めない。しかし、本発明の目的は使用する際の抵抗感を緩和してコミュニケーションの積極化、円滑化を図ることであり、どれも使用の動機付けとなる本来の効果を構成している要素の一面に他ならない。
【００１５】
図５は即答に適したカードの特徴を応用して、簡易アンケートに用いることを想定したカード３の表平面図であり、各アンサー部分が左右下隅に、扇状に設けられている。
【００１６】
図６と図７は回答状態になったカード３の一片であるが、図６は否定を表明するアンサー部分が、図７では肯定を表明するアンサー部分が切り取られている。しかし、受信者がこれらのカード片を発信者に返却した場合、意図する回答はどちらも否定である。このように、切り離したアンサー部分が受信者の意思を表明したものとは限らない。前記の意思を表明するに妥当なアンサー部分とは返却までを含めた表現であって、使用方法によってその解釈を狭義にされるものではない。
【００１７】
図８は三方向にアンサー部分が広がった凸型カード４の表平面図であり、図９はその折りたたんだ状態の斜視図である。
【００１８】
カード３、カード４は文章表記の仕方、アンサー部分の個数やカードの形によって特徴づけられるものではないことを示したものであり、前記以外の実施形態においても技術的範囲に属するものとする。なお、カードはミシン目における折りたたみ、切り離しを可能とするものであれば素材を問わない。
【図面の簡単な説明】
【００１９】
【図１】カード１の表平面図である。
【図２】カード１の裏面図である。
【図３】カード１の折りたたんだ状態を示す外観斜視図である。
【図４】カード２の表平面図である。
【図５】カード３の表平面図である。
【図６】アンサー部分を切り取って、回答状態となったカード３の一片を示す図である。
【図７】アンサー部分を切り取られて、回答状態となったカード３の一片を示す図である。
【図８】カード４の表平面図である。
【図９】カード４の折りたたんだ状態を示す外観斜視図である。
【符号の説明】
【００２０】
a      メッセージ部分
b      アンサー部分
c      アンサー部分
d      ミシン目
e      手書き文字
f      アンサー部分
【図１】
2008168445.tif 000003
【図２】
2008168445.tif 000004
【図３】
2008168445.tif 000005
【図４】
2008168445.tif 000006
【図５】
2008168445.tif 000007
【図６】
2008168445.tif 000008
【図７】
2008168445.tif 000009
【図８】
2008168445.tif 000010
【図９】
2008168445.tif 000011